(57)【要約】【課題】熱源として圧縮機を含めたヒートポンプ装置を採用した場合に、圧縮機への負担を軽減し、また、ヒートポンプ装置による温風温度の復帰を速くする。【解決手段】ヒートポンプ装置２５と、乾燥用空気をヒートポンプ装置２５の吸熱器２０と放熱器２１と衣類を入れた乾燥庫に導く風路１３と、前記風路１３に乾燥用空気を送る送風機１５と、圧縮機２２と送風機１５が作動する乾燥運転中おける乾燥運転の中断において、圧縮機２２の動作を継続する制御手段１９を有する構成としたものである。【選択図】図１
2006212117.tif 000002
【特許請求の範囲】
【請求項１】
圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫へ導く風路と、前記風路に乾燥用空気を送る送風機と、前記圧縮機の駆動を制御する制御手段とを具備し、前記制御手段は、乾燥運転時に前記送風機と圧縮機を作動するとともに、乾燥運転の中断時は前記圧縮機の動作を継続するようにした衣類乾燥装置。
【請求項２】
制御手段は、乾燥運転の中断時における圧縮機の圧縮能力を、乾燥運転時の圧縮能力を維持するようにした請求項１記載の衣類乾燥装置。
【請求項３】
制御手段は、乾燥運転の中断時における圧縮機の圧縮能力を、乾燥運転時の圧縮能力より低減するようにした請求項１記載の衣類乾燥装置。
【請求項４】
制御手段は、乾燥運転を中断してから第１の所定時間経過後に、圧縮機の圧縮能力を低減するようにした請求項３記載の衣類乾燥装置。
【請求項５】
制御手段は、乾燥運転の再開時に、圧縮機の圧縮能力を乾燥運転時の圧縮能力に増加するようにした請求項３または４記載の衣類乾燥装置。
【請求項６】
制御手段は、乾燥運転の再開してから第２の所定時間経過後に、圧縮機の圧縮能力を乾燥運転時の圧縮能力に増加するようにした請求項３または４記載の衣類乾燥装置。
【請求項７】
制御手段は、乾燥運転を中断してから第３の所定時間が経過すると、圧縮機を停止するようにした請求項１〜４のいずれか１項に記載の衣類乾燥装置。
【発明の詳細な説明】
【技術分野】
【０００１】
本発明は、衣類等の乾燥を行う衣類乾燥機、もしくは、洗濯と乾燥を同一槽で行う洗濯乾燥機に具備される衣類乾燥装置に関するものである。
【背景技術】
【０００２】
従来、衣類乾燥機は、乾燥途中での衣類の出し入れなどの場合に、ドアの開閉によって乾燥動作を中断して一時的に停止するもので、加熱手段と送風手段と撹拌手段を全て停止していた（例えば、特許文献１参照）。図１０は前記文献に記載された従来の衣類乾燥機を示すものである。図１０に示すように、衣類を収納して乾燥する乾燥庫と撹拌手段としての回転ドラム１と、回転ドラム１内へ温風を循環させる熱交換型両翼ファン２と、回転ドラム１内への送風経路に設けられた加熱手段となる自己温度制御型のＰＴＣヒータ３と、回転ドラム１の開口部を閉塞するドア４と、回転ドラム１と熱交換型両翼ファン２を回転駆動するモータ５と、ドア４の開閉を検知する開閉検知手段７と、ＰＴＣヒータ３とモータ５の動作を制御する制御手段６から構成され、制御手段６は、開閉検知手段７によってドア４が開けられたことを検知するとＰＴＣヒータ３とモータ５への通電を停止し、ドア４が閉じられたことを検知すると、所定時間経過後にＰＴＣヒータ３とモータ５への通電を再開する。
【特許文献１】特開平８−１８２８９７号公報
【発明の開示】
【発明が解決しようとする課題】
【０００３】
しかしながら、前記従来の構成では、熱源として昇温が速い電気ヒータの場合には有効であるが、熱源として圧縮機を含めたヒートポンプ装置を採用した場合には、圧縮機による昇温が電気ヒータに比べて遅く、すぐに元の温風温度に復帰しにくい。また、圧縮機停止直後ヒートポンプ装置の冷凍サイクル内の冷媒の圧力差が大きく、短時間での停止と作動の繰り返しでは圧縮機の起動失敗が発生する恐れがあるため、乾燥運転の中断と再開に伴う圧縮機の短時間で頻繁な停止と再起動の繰り返しを避ける構成が望まれる。
【０００４】
本発明は、前記従来の課題を解決するもので、熱源として圧縮機を含めたヒートポンプ装置を採用した場合も、圧縮機の短時間で頻繁な停止と再起動の繰り返しを避けて圧縮機の負担を軽減し、また、ヒートポンプ装置による温風温度の復帰を速くして、乾燥途中の衣類の乾き具合の確認、乾いたものやしわになりやすいものを先に取り出す、途中で乾燥したい衣類を追加するなど、乾燥装置として特有の使い方であるところの、乾燥中の乾燥運転中断、さらに、ドアの開閉、衣類の出し入れに対応した衣類乾燥装置を提供することを目的とする。
【課題を解決するための手段】
【０００５】
前記従来の課題を解決するために、本発明の衣類乾燥装置は、ヒートポンプ装置と、乾燥用空気を衣類を入れた乾燥庫に導く風路と、前記風路に乾燥用空気を送る送風機と、前記圧縮機の駆動を制御する制御手段とを具備し、前記制御手段は、乾燥運転時に前記送風機と圧縮機を作動するとともに、乾燥運転の中断時は、前記圧縮機の動作を継続するようにしたものである。
【０００６】
この中断中も圧縮機の動作を継続することによって、圧縮機の短時間で頻繁な停止と運転の繰り返しを避け、圧縮機への負担を軽減して、乾燥中の乾燥運転中断に対応することが可能となるとともに、ヒートポンプ装置による温風温度の復帰を速くするものである。
【発明の効果】
【０００７】
本発明の衣類乾燥装置は、熱源として圧縮機を含めたヒートポンプ装置を採用した場合も、圧縮機に負担を軽減し、乾燥中の乾燥運転中断に対応することができる。
【発明を実施するための最良の形態】
【０００８】
第１の発明は、圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫へ導く風路と、前記風路に乾燥用空気を送る送風機と、前記圧縮機の駆動を制御する制御手段とを具備し、前記制御手段は、乾燥運転時に前記送風機と圧縮機を作動するとともに、乾燥運転の中断時は前記圧縮機の動作を継続するようにしたもので、中断中も圧縮機の動作を継続することによって、圧縮機の頻繁な停止と運転の繰り返しを避け、圧縮機への負担を軽減して、乾燥運転の中断に対応することが可能となるとともに、ヒートポンプ装置による温風温度の復帰を速くするものである。
【０００９】
第２の発明は、制御手段が、乾燥運転の中断時における圧縮機の圧縮能力を、乾燥運転時の圧縮能力を維持するようにしたもので、中断中も圧縮機の動作を継続することによって、圧縮機の頻繁な停止と運転の繰り返しを避け、圧縮機への負担を軽減して、乾燥運転の中断に対応することが可能となるとともに、ヒートポンプ装置による温風温度の復帰を速くするものである。
【００１０】
第３の発明は、制御手段が、乾燥運転の中断時における圧縮機の圧縮能力を、乾燥運転時の圧縮能力より低減するようにしたことで、中断中も圧縮機の動作を継続することによって、圧縮機の頻繁な停止と運転の繰り返しを避け、圧縮機への負担を軽減して、乾燥運転の中断に対応することが可能となるとともに、ヒートポンプ装置による温風温度の復帰を速くするものである。
【００１１】
さらに、例えば、中断中に送風手段を停止して乾燥空気が循環していない状態では、ヒートポンプ装置２５の冷凍サイクルにおいて、高圧側においては冷媒圧力が異常に高くなる、もしくは、低圧側においては冷媒圧力が異常に低くなるなどの不具合が発生する恐れがあり、圧縮機２２への負担がかえって増加するため、乾燥運転の中断中には、圧縮機２２の圧縮能力を低減することによって、圧縮機の負担を軽減することができるものである。
【００１２】
第４の発明は、制御手段が、乾燥運転を中断してから第１の所定時間経過後に、圧縮機の圧縮能力を低減するようにしたもので、第１所定時間内では、運転の頻繁な中断と再開による圧縮能力の低下がなく、圧縮機への負担を軽減することが可能となるとともに、ヒートポンプ装置による温風温度の維持を実現するものである。
【００１３】
第５の発明は、制御手段が、乾燥運転の再開時に、圧縮機の圧縮能力を乾燥運転時の圧縮能力に増加するようにしたもので、乾燥運転再開後の通常状態への復帰を速め、風温度の復帰を速めるものである。
【００１４】
第６の発明は、制御手段が、乾燥運転の再開してから第２の所定時間経過後に、圧縮機の圧縮能力を乾燥運転時の圧縮能力に増加するようにしたもので、第２定時間内では、運転の頻繁な中断と再開による圧縮能力の増減がなく、圧縮機への負担を軽減することが可能となるものである。
【００１５】
第７の発明は、制御手段が、乾燥運転を中断してから第３の所定時間が経過すると、圧縮機を停止するようにしたものである。乾燥運転中断中も圧縮機の動作を継続することによって乾燥運転再開後の温風温度の復帰を速めることが可能であるが、例えば、中断中に送風手段を停止して乾燥空気が循環していない状態で、第３の所定時間を越えるほどの長時間の中断があった場合には、ヒートポンプ装置の冷凍サイクルにおいて、高圧側においては冷媒圧力が異常に高くなる、もしくは、低圧側においては冷媒圧力が異常に低くなるなどの不具合が発生する恐れがあり、圧縮機への負担がかえって増加するため、乾燥運転の中断時間が第３の所定時間を経過するような場合には、圧縮機を停止することによって、圧縮機の負担を軽減するものである。
【００１６】
以下、本発明の実施の形態について、図面を参照しながら説明する。なお、本実施の形態によって本発明が限定されるものではない。
【００１７】
（実施の形態１）
図１は、本発明の第１の実施の形態における衣類乾燥装置を具備した衣類乾燥機の側断面図を示すものである。図１において、ヒートポンプ装置２５は、冷媒を圧縮する圧縮機２２と、圧縮後の高温高圧の冷媒の熱を放熱する放熱器２１と、高圧の冷媒の圧力を減圧して冷媒の圧力差を維持するためのキャピラリーチューブ等の絞り手段２３と、減圧されて低圧となった冷媒が周囲から熱を奪う吸熱器２０と、これらを冷媒が循環するよう接続する管路２４とからなる。
【００１８】
乾燥用空気は、送風機１５によって、衣類２７を入れた乾燥庫でありかつ撹拌手段としての回転ドラム１１から風路１３によってヒートポンプ装置２５の吸熱器２０と放熱器２１へと導かれる。吸熱器２０では乾燥用空気を冷却除湿し、放熱器２１では乾燥用空気を再加熱して回転ドラム１１へと送り込む。リントフィルター１６は、回転ドラム１１の後面の中央部に取り付けられ、乾燥用空気中のほこりを捕捉する。
【００１９】
回転ドラム１１は、乾燥機本体８内に回転自在に設けられ、モータ９によってドラムベルト１０を介して駆動される。送風機１５は、回転ドラム１１を動かすモータ９とは別のモータ２８によってベルト１４を介して回転し、送風機１５と回転ドラム１１は個別の動きが可能である。なお、個別の動きが不要の場合は、従来例のようにモータ９によって送風機１５が回転ドラム１１と同時に駆動される構成でもよい。
【００２０】
排水口２６は、この風路１３の途中の吸熱器２０の近くに設けたものであり、吸熱器２０での熱交換で発生した乾燥用空気の結露水を排出する。衣類２７は、乾燥機本体８の前面に設けたドア１２から出し入れされる。
【００２１】
ドア１２の開閉を検知する開閉検知手段１７は、例えばドア１２側に取り付けた磁石と乾燥機本体８に設けられた磁気センサとしてのリードスイッチを有する構成で、ドア１２の開閉を磁石の移動による磁気の変化で検知する。衣類２７の出し入れのために乾燥運転中にドア１２を開けた場合は、乾燥運転の中断となり、ドア１２の閉は、乾燥運転の再開となる。
【００２２】
また、操作部には、電源スイッチや乾燥運転の運転・停止スイッチや各種モード設定スイッチなどと共に、乾燥運転中断スイッチ１８があり、乾燥運転中断スイッチ１８の操作で乾燥運転の中断と再開ができる。
【００２３】
制御手段１９は、乾燥運転時に前記送風機１５と圧縮機２２を作動するとともに、乾燥運転の中断時は前記圧縮機の動作を継続するようにしたものである。
【００２４】
ヒートポンプ装置２５を用いることによって、乾燥すべき衣類２７に当たった後の乾燥用空気から顕熱および潜熱を吸熱器２０で回収し、放熱器２１において再び乾燥用空気を加熱するための熱量に利用できるため、電熱ヒータによる加熱よりも少ない入力で同量の衣類を同じ時間で乾燥することが可能となる。さらに、家庭用コンセントの電流容量から、電熱ヒータでの出力可能な熱量は限界があるが、ヒートポンプ装置２５を用いれば、より少ない入力でより多くの出力が得られるため、より多くの加熱量で乾燥して時間短縮も実現できる。
【００２５】
次に、その動作を説明する。まず、乾燥すべき衣類２７をドア１２を開閉して回転ドラム１１内に置く。次に、ドア１２を閉めて、操作部で乾燥運転を開始すると、モータ９、モータ２８が回転し、回転ドラム１１及び送風機１５が回転して乾燥用空気の流れＡが生じる。乾燥用空気は、回転ドラム１１内の衣類２７から水分を奪って多湿となった後、リントフィルター１６を通過して、風路１３内を通ってヒートポンプ装置２５の吸熱器２０へ運ばれる。
【００２６】
一方、乾燥運転を開始すると圧縮機２２が作動し、冷媒に高低圧力差が発生して冷媒が循環される。吸熱器２０では、低温の冷媒で熱を奪い乾燥用空気を除湿する。さらに、放熱器２１では、前記吸熱器２０で吸熱された熱量に、圧縮機２２からの熱量が加わって高温となった冷媒からの放熱で、乾燥用空気を加熱し、再び回転ドラム１１内へと乾燥用空気が循環され、冷媒は放熱器２１、絞り手段２３、吸熱器２０を通って圧縮機２２に戻る。以上の繰り返しで衣類２７の乾燥は進む。
【００２７】
乾燥途中で、ドア１２が開けられたり、乾燥運転中断スイッチ１８が操作されて、乾燥運転中断が実行されると、制御手段１９は、圧縮機２２の動作を継続し、モータ９もしくはモータ２８の少なくとも一方は即または所定時間遅延後に停止もしくはその回転数を減少させ、送風機１５と撹拌手段としての回転ドラム１１を制御する。この間、使用者によって衣類の追加や取り出しが行われた後、ドア１２が閉じられたり、乾燥運転中断スイッチ１８が再度操作されて、乾燥運転が再開されると、モータ９もしくはモータ２８の少なくとも一方は即または所定時間遅延後に作動もしくはその回転数を増加させ、送風機１５と撹拌手段としての回転ドラム１１を制御する。
【００２８】
図２は、乾燥運転の中断時の圧縮機２２の動作を示すタイムチャートである。ドア１２が開けられたり、乾燥運転中断スイッチ１８が操作されて、乾燥運転中断が実行されると、制御手段１９によって、乾燥運転の中断時も圧縮機２２は動作を継続するものである。
【００２９】
以上のように、中断中も圧縮機２２の動作を継続することによって、圧縮機２２の頻繁な停止と運転の繰り返しを避け、圧縮機２２への負担を軽減して、乾燥運転の中断に対応することが可能となるとともに、ヒートポンプ装置２５による温風温度の復帰を速くするものである。
【００３０】
なお、乾燥運転中断は、本実施の形態では、乾燥運転中断スイッチ、もしくは、乾燥庫の衣類投入口に設けたドアの開閉状態を検知する開閉検知手段を例としてあげたが、これに限定するものではない。
【００３１】
（実施の形態２）
図３は、本発明の第２の実施の形態における衣類乾燥装置を具備した衣類乾燥機の乾燥運転中断時の動作を示すタイムチャートである。衣類乾燥機の基本動作、構成については、実施の形態１と同様であり、詳しい説明を省略する。
【００３２】
図３は、制御手段１９が、乾燥運転の中断時における圧縮機２２の圧縮能力を、乾燥運転時の圧縮能力より低減するようにしたものである。中断中も圧縮機２２の動作を継続することによって、圧縮機２２の頻繁な停止と運転の繰り返しを避け、圧縮機２２への負担を軽減して、乾燥運転の中断に対応することが可能となるとともに、ヒートポンプ装置２５による温風温度の復帰を速くするものである。
【００３３】
さらに、例えば、中断中に送風手段を停止して乾燥空気が循環していない状態では、ヒートポンプ装置２５の冷凍サイクルにおいて、高圧側においては冷媒圧力が異常に高くなる、もしくは、低圧側においては冷媒圧力が異常に低くなるなどの不具合が発生する恐れがあり、圧縮機２２への負担がかえって増加するため、乾燥運転の中断中には、圧縮機２２の圧縮能力を低減することによって、圧縮機の負担を軽減することができるものである。また、圧縮機２２の圧縮能力を低減することによって乾燥運転中断中の消費電力量をその分低減することができる。
【００３４】
（実施の形態３）
図４は、本発明の第３の実施の形態における衣類乾燥装置を具備した衣類乾燥機の乾燥運転中断時の動作を示すタイムチャートである。衣類乾燥機の基本動作、構成については、実施の形態１と同様であり、詳しい説明を省略する。
【００３５】
図４は、制御手段１９が、乾燥運転を中断してから第１の所定時間経過後に、圧縮機２２の圧縮能力を低減するようにしたものである。第１所定時間内では、運転の頻繁な中断と再開による圧縮能力の低下がなく、圧縮機２２への負担を軽減することが可能となるとともに、この間のヒートポンプ装置２５による温風温度の維持を実現するものである。
【００３６】
（実施の形態４）
図５は、本発明の第４の実施の形態における衣類乾燥装置を具備した衣類乾燥機の乾燥運転再開時の動作を示すタイムチャートである。衣類乾燥機の基本動作、構成については、実施の形態１と同様であり、詳しい説明を省略する。
【００３７】
図５は、制御手段１９が、乾燥運転の再開時に、圧縮機２２の圧縮能力を乾燥運転時の圧縮能力に増加するようにしたものである。再開時に圧縮能力を増加することで、乾燥運転再開後の通常状態への復帰を速め、風温度の復帰を速めるものである。
【００３８】
（実施の形態５）
図６は、本発明の第５の実施の形態における衣類乾燥装置を具備した衣類乾燥機の乾燥運転再開時の動作を示すタイムチャートである。衣類乾燥機の基本動作、構成については、実施の形態１と同様であり、詳しい説明を省略する。
【００３９】
図６は、制御手段１９が、乾燥運転の再開してから第２の所定時間経過後に、圧縮機２２の圧縮能力を乾燥運転時の圧縮能力に増加するようにしたものである。第２の所定時間内では、運転の頻繁な中断と再開による圧縮能力の増減がなく、圧縮機２２への負担を軽減することが可能となるものである。
【００４０】
（実施の形態６）
図７は、本発明の第６の実施の形態における衣類乾燥装置を具備した衣類乾燥機の乾燥運転中断時の動作を示すタイムチャートである。衣類乾燥機の基本動作、構成については、実施の形態１と同様であり、詳しい説明を省略する。
【００４１】
図７は、制御手段１９が、乾燥運転を中断してから第３の所定時間が経過すると、圧縮機２２を停止するようにしたものである。図７の（ａ）は、中断中も圧縮機２２の圧縮能力を維持した場合を示し、図７の（ｂ）は、中断中は圧縮機能力を低減した場合を示し、図７の（ｃ）は、中断開始後、第１の所定時間後に圧縮能力を低減した場合を示す。
【００４２】
乾燥運転中断中も圧縮機２２の動作を継続することによって乾燥運転再開後の温風温度の復帰を速めることが可能であるが、例えば、中断中に送風手段を停止して乾燥空気が循環していない状態で、第３の所定時間を越えるほどの長時間の中断があった場合には、ヒートポンプ装置２５の冷凍サイクルにおいて、高圧側においては冷媒圧力が異常に高くなる、もしくは、低圧側においては冷媒圧力が異常に低くなるなどの不具合が発生する恐れがあり、圧縮機２２への負担がかえって増加するため、乾燥運転の中断時間が第３の所定時間を経過するような場合には、圧縮機２２を停止することによって、圧縮機の負担を軽減することができるものである。また、圧縮機２２を停止することによって乾燥運転中断中の消費電力量をその分低減することができる。
【００４３】
（実施の形態７）
図８および図９は、本発明の第７の実施の形態における衣類乾燥装置を具備した洗濯乾燥機の場合を示すものであり、図８は洗濯乾燥機の一部切欠斜視図、図９は洗濯乾燥機の側断面図である。実施の形態１と共通の部分は同一の番号を付けている。
【００４４】
図８、図９において、洗濯乾燥機本体３３内には洗濯槽３４があり、モータ３５が取り付けられている。洗濯槽３４は両側面のサスペンション３６と上方部のサスペンション３７により支えられて洗濯乾燥機本体３３に取り付けられている。
【００４５】
圧縮機２２で圧縮後の高温高圧の冷媒の熱を放熱する放熱器２１と、高圧の冷媒の圧力を減圧するための膨張弁もしくはキャピラリーチューブからなる絞り手段２３と、減圧されて低圧となった冷媒が周囲から熱を奪う吸熱器２０があり、圧縮機２２、放熱器２１、絞り手段２３、吸熱器２０を順に接続して再び圧縮機２２に冷媒が循環するように管路２４で連結したヒートポンプ装置２５を具備している。
【００４６】
乾燥用空気を流す風路１３は、乾燥用空気を冷却する前記吸熱器２０と、乾燥用空気を加熱する放熱器２１とを連結するように構成している。洗濯槽３４と風路１３は、フレキシブルホース３８、３９によって接続されている。風路１３には送風機１５が設けられている。乾燥庫であり撹拌手段としての回転ドラム１１はモータ３５の軸に直結して洗濯槽３４内に取り付けられている。洗濯槽３４と回転ドラム１１の前面開口部に対応した位置には衣類２７を投入するためのドア１２が設けられている。
【００４７】
回転ドラム１１の側壁および底面部には洗濯水や乾燥用空気が出入りする孔４０と開口部４１が設けられている。洗濯槽３４内壁には開口部４２が設けられており、洗濯槽３４とダクト４３の風路をつないでいる。開口部４２にはリントフィルター４７が設けられている。洗濯時の排水を流す洗濯排水路４４には、乾燥時に吸熱器２０で発生した結露水を流す結露排水路４５が接続され、水路を開閉する排水弁４６が設けられている。
【００４８】
ドア１２の開閉を検知する開閉検知手段１７は、例えばドア１２側に取り付けた磁石と本体３３に設けられた磁気センサとしてのリードスイッチを有する構成で、ドア１２の開閉を磁石の移動による磁気の変化で検知する。乾燥運転中にドア１２を開けた場合、撹拌手段の回転ドラム１１が回転していると衣類２７の出し入れがしにくいため、乾燥運転中のドア１２の開は、乾燥運転中断の実行となり、ドア１２の閉は、乾燥運転の再開となる。
【００４９】
また、操作部には、電源スイッチや乾燥運転の運転・停止スイッチや各種モード設定スイッチなどと共に、乾燥運転中断スイッチ１８があり、乾燥運転中断スイッチ１８の操作で乾燥運転中断と再開ができる。制御手段１９は、乾燥運転中断時には、圧縮機２２の圧縮能力を維持、もしくは、低減する。
【００５０】
以上のように、乾燥中断中でも圧縮機２２の動作を継続することによって、乾燥運転の中断と再開に伴う圧縮機２２の短時間で頻繁な負荷変動を避けることが可能となる。また、運転再開後は、乾燥用空気の温度が所定の温度に速く到達することになる。
【産業上の利用可能性】
【００５１】
以上のように、本発明にかかる衣類乾燥装置は、乾燥運転中断中も圧縮機の動作を継続することによって、圧縮機の短時間で頻繁な停止と運転の繰り返しを避け、圧縮機への負担を軽減して、乾燥中の乾燥運転中断に対応することが可能となるとともに、乾燥運転再開後のヒートポンプ装置による温風温度の復帰を速くするもので、ヒートポンプ装置を搭載した衣類乾燥機や洗濯乾燥機等の用途にも適用できる。
【図面の簡単な説明】
【００５２】
【図１】本発明の実施の形態１における衣類乾燥機の側断面図
【図２】同衣類乾燥機の乾燥運転中断時の動作を示すタイムチャート
【図３】本発明の実施の形態２における衣類乾燥機の乾燥運転中断時の動作を示すタイムチャート
【図４】本発明の実施の形態３における衣類乾燥機の乾燥運転中断時の動作を示すタイムチャート
【図５】本発明の実施の形態４における衣類乾燥機の乾燥運転再開時の動作を示すタイムチャート
【図６】本発明の実施の形態５における衣類乾燥機の乾燥運転再開時の動作を示すタイムチャート
【図７】（ａ）本発明の実施の形態６における衣類乾燥機の乾燥運転中断時の圧縮能力維持中の動作を示すタイムチャート（ｂ）同乾燥運転中断時の圧縮能力低減中の動作を示すタイムチャート（ｃ）同乾燥運転中断時に第１所定時間経過後の圧縮能力低減中の動作を示すタイムチャート
【図８】本発明の実施の形態７における洗濯乾燥機の一部切欠斜視図
【図９】同洗濯乾燥機の側断面図
【図１０】従来の衣類乾燥機の側断面図
【符号の説明】
【００５３】
１１  回転ドラム
１３  風路
１５  送風機
１７  開閉検知手段
１８  乾燥運転中断スイッチ
１９  制御手段
２０  吸熱器
２１  放熱器
２２  圧縮機
２３  絞り手段
２４  管路
２５  ヒートポンプ装置
【図１】
2006212117.tif 000003
【図２】
2006212117.tif 000004
【図３】
2006212117.tif 000005
【図４】
2006212117.tif 000006
【図５】
2006212117.tif 000007
【図６】
2006212117.tif 000008
【図７】
2006212117.tif 000009
【図８】
2006212117.tif 000010
【図９】
2006212117.tif 000011
【図１０】
2006212117.tif 000012